(57)【要約】      （修正有）【課題】ユーザーに過度の負担をかけず，正常に接続可能にする無線通信装置。【解決手段】無線通信装置は，第１の暗号化方式が禁止されている第１の無線ＬＡＮ規格に準拠するとともに，第１の無線ＬＡＮ規格より古い無線ＬＡＮ規格であって第１の暗号化方式を許可している第２の無線ＬＡＮ規格にも準拠し，設定された通信パラメータに応じて通信を行う無線通信ユニットと，通信パラメータの設定入力に応じて当該設定入力された通信パラメータを無線通信ユニットに設定する通信パラメータ設定手段とを有し，通信パラメータ設定手段は，無線通信ユニットが検出した使用可能な無線ＬＡＮグループのうち第１の暗号化方式を使用する第１の無線ＬＡＮ規格に設定された第１の無線ＬＡＮグループが選択されたときに，当該選択された第１の無線ＬＡＮグループの第１の無線ＬＡＮ規格に代えて第１の暗号化方式を使用する第２の無線ＬＡＮ規格の通信パラメータを設定する。【選択図】図５
2012090086.tif 000002
【特許請求の範囲】
【請求項１】
第１の暗号化方式が禁止されている第１の無線ＬＡＮ規格に準拠するとともに，前記第１の無線ＬＡＮ規格より古い無線ＬＡＮ規格であって前記第１の暗号化方式を許可している第２の無線ＬＡＮ規格にも準拠し，設定された通信パラメータに応じて通信を行う無線通信ユニットと，
前記通信パラメータの設定入力に応じて，当該設定入力された通信パラメータを前記無線通信ユニットに設定する通信パラメータ設定手段とを有し，
前記通信パラメータ設定手段は，使用可能な無線ＬＡＮグループのうち，前記第１の暗号化方式を使用する第１の無線ＬＡＮ規格に設定された第１の無線ＬＡＮグループが選択されたときに，当該選択された第１の無線ＬＡＮグループの第１の無線ＬＡＮ規格に代えて前記第１の暗号化方式を使用する第２の無線ＬＡＮ規格の通信パラメータを前記無線通信ユニットに設定する無線通信装置。
【請求項２】
請求項１において，
前記通信パラメータ設定手段は，前記第１の無線ＬＡＮグループが，前記第１の無線ＬＡＮ規格に加えて，前記第２の無線ＬＡＮ規格での通信を許可していることを確認したときに，前記第１の暗号化方式を使用する第２の無線ＬＡＮ規格の通信パラメータを前記無線通信ユニットに設定する無線通信装置。
【請求項３】
請求項１または２において，
前記第１の暗号化方式はTKIP方式であり，
前記第１の無線ＬＡＮ規格はIEEE802.11n規格であり，
前記第２の無線ＬＡＮ規格はIEEE802.11b，IEEE802.11g，またはIEEE802.11bとIEEE802.11gの両方であり，
前記第１の無線ＬＡＮグループに設定された前記第１の無線ＬＡＮ規格は，ドラフト版のIEEE802.11n規格である無線通信装置。
【請求項４】
請求項１または２において，
前記無線通信ユニットは，前記通信パラメータ設定手段により前記第１の暗号化方式を使用する第２の無線ＬＡＮ規格の通信パラメータを設定された後，当該通信パラメータで前記第１の無線ＬＡＮグループ内のアクセスポイントに接続応答を行う無線通信装置。
【請求項５】
請求項１乃至４のいずれかに記載の無線通信装置を有する周辺装置。
【発明の詳細な説明】
【技術分野】
【０００１】
本発明は，無線通信装置およびそれを有する周辺装置に関する。
【背景技術】
【０００２】
無線通信技術を利用した無線ＬＡＮが広く普及している。IEEE802.11bやIEEE802.11gなどの規格に準拠した無線ＬＡＮチップが様々な製品に内蔵され，製品間が無線ＬＡＮで互いに接続されるようになってきている。さらに，近年においては，より高速通信を可能にするIEEE802.11n規格が策定され，それに準拠した無線ＬＡＮデバイスが市場に出回るよ
うになっている。これらの規格では，複数種類のセキュリティ方式が選択可能になっており，また選択したセキュリティに対応するパスフレーズや暗号化キーの入力が必要である。そのため，無線ＬＡＮはその設定が複雑であることが難点といわれている。
【０００３】
このような無線ＬＡＮについては，特許文献１〜５に記載されている。
【０００４】
一方で，無線通信装置およびそれを有する周辺装置にも無線ＬＡＮ機能を搭載することが行われるようになり，特に家庭用の無線通信装置およびそれを有する周辺装置においては，上記の無線ＬＡＮ設定の複雑さはユーザーの負担を増大させ好ましくない。
【先行技術文献】
【特許文献】
【０００５】
【特許文献１】特開２００３−２５８９３７号公報
【特許文献２】特開２００５−８６６４２号公報
【特許文献３】特開２００８−１９９１０２号公報
【特許文献４】特開２００８−１６０７５８号公報
【特許文献５】特開２００９−２１２７３２号公報
【発明の概要】
【発明が解決しようとする課題】
【０００６】
IEEE802.11b，IEEE802.11gおよびIEEE802.11nなどの無線ＬＡＮの規格は，さまざまな
セキュリティ方式をサポートしている。特に，先行して策定されたIEEE801.11b/gでサポ
ートされていた暗号化方式のうち，TKIP（Temporal Key Integrity Protocol）方式は，
正式版のIEEE802.11n規格ではサポートされておらず禁止されている。ただし，ドラフト
段階のIEEE802.11n規格ではTKIP方式はサポートされていた。
【０００７】
このように，規格によってサポートされているセキュリティ方式や暗号化方式が異なるため，異なる規格に準拠した無線ＬＡＮデバイス間での無線通信を可能にするための通信パラメータの設定は，極めて困難である。
【０００８】
特に，ドラフト版のIEEE802.11n規格に準拠した無線ＬＡＮデバイスでは，暗号化方式
のTKIP方式をサポートしているが，最終的に承認された正式版のIEEE802.11n規格ではこ
のTKIP方式は禁止されている。そのため，ドラフト版のIEEE802.11n規格に準拠した無線
ＬＡＮデバイスからなるアクセスポイントの無線ＬＡＮグループに，正式規格のIEEE802.11n規格に準拠した無線ＬＡＮデバイスが加わろうとする場合に，次のような問題が生じ
る。
【０００９】
すなわち，ドラフト版のIEEE802.11n規格に準拠した無線ＬＡＮのアクセスポイントが
，暗号化方式としてTKIP方式に設定されている場合，その無線ＬＡＮグループに加わる新
たな無線ＬＡＮデバイスは，アクセスポイントのTKIP方式と同じ暗号化方式に設定される必要がある。
【００１０】
ところが，新たに加わる無線ＬＡＮデバイスが正式版のIEEE802.11n規格に準拠してい
る場合は，TKIP方式に設定することは禁止されている。したがって，正式版のIEEE802.11n規格でTKIP方式に設定された無線ＬＡＮデバイスは，ドラフト版のIEEE802.11n規格でTKIP方式に設定された無線ＬＡＮのアクセスポイントとは接続することができず，正常に無線通信することができない。
【００１１】
そこで，本発明の目的は，準拠している規格が異なるアクセスポイントに対しても，ユーザーに過度の負担をかけることなく，正常に接続可能にした無線通信装置およびそれを有する周辺装置を提供することにある。
【課題を解決するための手段】
【００１２】
無線通信装置の第１の側面は，第１の暗号化方式が禁止されている第１の無線ＬＡＮ規格に準拠するとともに，前記第１の無線ＬＡＮ規格より古い無線ＬＡＮ規格であって前記第１の暗号化方式を許可している第２の無線ＬＡＮ規格にも準拠し，設定された通信パラメータに応じて通信を行う無線通信ユニットと，
前記通信パラメータの設定入力に応じて，当該設定入力された通信パラメータを前記無線通信ユニットに設定する通信パラメータ設定手段とを有し，
前記通信パラメータ設定手段は，使用可能な無線ＬＡＮグループのうち，前記第１の暗号化方式を使用する第１の無線ＬＡＮ規格に設定された第１の無線ＬＡＮグループが選択されたときに，当該選択された第１の無線ＬＡＮグループの第１の無線ＬＡＮ規格に代えて前記第１の暗号化方式を使用する第２の無線ＬＡＮ規格の通信パラメータを前記無線通信ユニットに設定する。
【発明の効果】
【００１３】
第１の側面によれば，通信パラメータ設定手段が，第１の無線ＬＡＮ規格よりも古い第２の無線ＬＡＮ規格に自動的にダウングレードすることで，第１の無線ＬＡＮグループと第１の暗号化方式を使用する第２の無線ＬＡＮ規格で通信することができる。
【図面の簡単な説明】
【００１４】
【図１】本実施の形態における無線通信装置の概略を示す図である。
【図２】本実施の形態における無線通信装置とプリンタの構成図である。
【図３】複数の無線ＬＡＮ規格と各規格が許可しているそのセキュリティ方式と暗号化方式とを示す図である。
【図４】複数の無線ＬＡＮ規格に準拠した無線ＬＡＮデバイスによる不都合を示す図である。
【図５】本実施の形態における無線通信装置の通信パラメータ設定のフローチャート図である。
【発明を実施するための形態】
【００１５】
図１は，本実施の形態における無線通信装置の概略を示す図である。図１には，無線通信ユニットである無線ＬＡＮチップ（無線通信ユニット）１２を搭載する周辺装置の一例としてのプリンタ１０と，無線ＬＡＮのアクセスポイント２０とが示されている。１つのアクセスポイント２０と，プリンタ１０の無線ＬＡＮチップを含む無線ＬＡＮ端末と，他の図示しない無線ＬＡＮ端末とによって，１つの無線ＬＡＮのグループ（ＢＢＳ（Basic Service Set））が形成されている。プリンタ１０は，他の無線ＬＡＮ端末であるホスト
コンピュータから，無線ＬＡＮを経由して受信する印刷データを処理して，画像を形成する画像形成装置である。
【００１６】
図２は，本実施の形態における無線通信装置とプリンタの構成図である。プリンタ１０は，制御基板に設けられた制御ユニット１３と，画像を形成する印刷エンジンからなる画像形成ユニット１９と，通信パラメータの設定や印刷モードの設定などを行うためのタッチパネルディスプレイＤＩＳとを有する。制御ユニット１３は，前述の無線ＬＡＮチップ１２が搭載されるとともに，ＣＰＵ１４と，内蔵メモリ（ＲＡＭ）１７と，受信した印刷データに対して画像処理を行う画像処理ユニット１８とを有し，それらは内部バスＢＵＳを介して接続される。また，画像処理ユニット１８で画像処理された画像データに基づいて，印刷エンジン１９がその画像を形成する。
【００１７】
さらに，制御ユニット１３は，無線ＬＡＮチップ１２に通信パラメータを設定するための無線ＬＡＮ設定プログラムを格納する無線ＬＡＮ設定プログラム（ＲＯＭ）１５を有し，ＣＰＵがこの無線ＬＡＮ設定プログラムを実行し，タッチパネルディスプレイＤＩＳからの入力に対応した通信パラメータの設定をインターフェース１６を介して無線ＬＡＮチップ１２に行う。
【００１８】
具体的には，ユーザーは，タッチパネルディスプレイＤＩＳから所定の操作入力をして上記無線ＬＡＮ設定プログラムをＣＰＵに実行させて，プリンタを通信パラメータ設定モードにする。そして，タッチパネルディスプレイＤＩＳに表示されるメニューに対応して，所望の通信パラメータの設定入力をする。そして，最後に，設定入力した通信パラメータを設定する操作入力をすると，ＣＰＵは，設定入力された通信パラメータを無線ＬＡＮチップ１２に設定する。
【００１９】
したがって，本実施の形態の無線通信装置は，無線ＬＡＮチップ１２と，無線ＬＡＮ設定プログラム１５とそれを実行するＣＰＵ１４と，インターフェース１６とにより構成される。
【００２０】
図３は，複数の無線ＬＡＮ規格と各規格が許可しているそのセキュリティ方式と暗号化方式とを示す図である。これらの無線ＬＡＮ規格IEEE802.11b，IEEE802.11g，IEEE802.11nは，この順番で策定されたものであり，新しいほどに高速通信を可能にする。また，IEEE802.11nに準拠した無線ＬＡＮデバイスには，ドラフト版に準拠したものと，最終的に承認された正式版に準拠したものとが市場に出回っている。
【００２１】
そして，図３には，上記の４つの無線ＬＡＮ規格に対応して，使用が許可されているセキュリティ方式と暗号化方式とが示されている。
【００２２】
図３中に示されたセキュリティ方式には，WEP(Wired Equivalent Privacy)の暗号化方
式と，WEPの後継であるWPA(Wi-Fi Protected Access) （登録商標）とWPA2とがある。そ
して，WPAとWPA2は，暗号化方式としてTKIP(Temporal Key Integrity Protocol)とAES(Advanced Encryption Standard)のいずれかを使用することができる場合とTKIPは使用でき
ない場合とがある。
【００２３】
具体的には，正式版のIEEE802.11n規格では，WEP，WPA/AES，WPA2/AESのいずれかを使
用することができるが，暗号化方式のTKIPの使用は禁止されている。
【００２４】
一方，ドラフト版のIEEE802.11n規格と，それより古いIEEE802.11b，IEEE802.11gでは
，WEP，WPA/TKIP，WPA/AES，WPA2/TKIP，WPA2/AESのいずれかを使用することができる。
つまり，これらは暗号化方式のTKIPの使用は許可されている。
【００２５】
そして，無線ＬＡＮデバイスは，古い規格のIEEE802.11bやIEEE802.11gに準拠し，新し
い規格のIEEE802.11nに準拠していない場合は，IEEE802.11bやIEEE802.11g規格に従って
動作する。一方で，無線ＬＡＮデバイスは，古い規格のIEEE802.11bやIEEE802.11gに準拠し，同時に新しい規格のIEEE802.11nにも準拠している場合は，新しい規格のIEEE802.11nによる動作が優先される。つまり，無線通信の相手のデバイスも新しい規格のIEEE802.11nに準拠しそれに設定されている場合は，その新しい規格により動作するが，古い規格に
しか準拠していない場合は，その古い規格により動作する。
【００２６】
以上のような様々な規格に準拠した無線ＬＡＮデバイスが市場に出回っていることに起因して，次のような不都合が生じる。
【００２７】
図４は，複数の無線ＬＡＮ規格に準拠した無線ＬＡＮデバイスによる不都合を示す図である。図４（Ａ）は，上述したドラフト版のIEEE802.11nに準拠した無線ＬＡＮグループ
のアクセスポイント２０に，正式版のIEEE802.11nに準拠した無線通信端末を有するプリ
ンタ１０が接続する場合を示している。通常，上位の規格に準拠する場合は，下位の規格での通信も許可されている。
【００２８】
したがって，アクセスポイント２０は，ドラフト版のIEEE802.11nに加えてそれより下
位の規格のIEEE802.11b/gにも準拠している。つまり，アクセスポイント２０は，３つの
規格IEEE802.11b/g/nのいずれでも通信可能である。ただし，このIEEE802.11nはドラフト版でありTKIP方式の使用を許可している。
【００２９】
一方，プリンタ端末１０内の無線通信装置では，正式版のIEEE802.11nに加えてIEEE802.11b/gにも準拠している。つまり，プリンタ１０は，３つの規格IEEE802.11b/g/nのいず
れでも通信可能である。ただし，このIEEE802.11nは正式版でありTKIP方式の使用を禁止
している。そして，本実施の形態におけるプリンタ端末１０内の無線通信装置は，３つの規格IEEE802.11b/g/nのいずれでも通信する第１の設定と，古い規格IEEE802.11b/gのいずれでも通信する第２の設定とが可能である。前者の設定がされると，前述のとおり通信の相手側の規格に整合する最上位の規格で通信される。
【００３０】
図４（Ｂ）では，アクセスポイント２０が，３つの規格IEEE802.11b/g/n（nはドラフト版）のいずれでも通信可能であって，暗号化方式としてTKIPを使用するように設定されている。一方，プリンタ端末１０側でも，３つの規格IEEE802.11b/g/n（nは正式版）のいずれでも通信可能であって，暗号化方式としてTKIPを使用するように設定されている。
【００３１】
この場合，プリンタ端末１０側の無線通信装置は，正式版のIEEE802.11nでは暗号化方
式TKIPが禁止されているので，アクセスポイント２０と通信接続することができない。つまり，アクセスポイントとプリンタ端末とは最上位のIEEE802.11nで通信接続することに
なるが，正式版のIEEE802.11nは暗号化方式TKIPを禁止しているので，プリンタの無線通
信装置はアクセスポイントと通信不能になる。
【００３２】
図４（Ｃ）では，（Ｂ）と同様に，アクセスポイント２０が，３つの規格IEEE802.11b/g/n（nはドラフト版）のいずれでも通信可能であって，暗号化方式としてTKIPを使用するように設定されている。一方，プリンタ端末１０側では，（Ｂ）と異なり，古い２つの規格IEEE802.11b/gに設定され，暗号化方式としてTKIPを使用するように設定されている。
【００３３】
この場合は，アクセスポイント２０は，プリンタ端末側の規格に合わせて，IEEE802.11b/gのいずれかで通信を行うことになる。そして，この古い規格IEEE802.11b/gではTKIPの暗号化方式の使用が許可されているので，プリンタ端末１０はアクセスポイント２０とIEEE802.11b/gで通信接続することが可能になる。しかも，アクセスポイント２０の通信パ
ラメータの設定を変更する必要がないので，既存のプリンタ端末以外の図示していない他
の端末に対してもアクセスポイントは通信接続を継続することができる。つまり，既存の無線ＬＡＮグループの通信設定を変更することなく，最上位の正式版IEEE802.11nの規格
に準拠したプリンタ端末を，新たに無線ＬＡＮグループに加えることができる。
【００３４】
図５は，本実施の形態における無線通信装置の通信パラメータ設定のフローチャート図である。
【００３５】
ユーザーは，タッチパネルディスプレイＤＩＳから所定の操作入力をして無線ＬＡＮ設定プログラム１５をＣＰＵ１４に実行させて，通信パラメータ設定モードにし，タッチパネルディスプレイＤＩＳに無線ＬＡＮ設定メニュー画面を表示させる（Ｓ１０）。
【００３６】
通信パラメータ設定モードに入る前に，既に，無線ＬＡＮチップ１２は，アクセスポイントから受信するビーコンに基づいて，接続可能な無線ＬＡＮグループのＳＳＩＤ（Service Set ID）と，そのセキュリティ方式／暗号化方式と，使用チャネルと，設定されている規格と，セキュリティ方式及び暗号化方式などの情報を取得済である。そこで，設定モードに応答して，無線ＬＡＮ設定プログラムを実行するＣＰＵは，タッチパネルディスプレイＤＩＳ内に接続可能なＳＳＩＤリストを表示し，ユーザーに選択入力を促す（Ｓ１２）。
【００３７】
そこで，ユーザーは，ＳＳＩＤリスト内から希望するＳＳＩＤを選択入力する（Ｓ１４）。これにより，無線ＬＡＮ設定プログラムを実行するＣＰＵは，選択されたＳＳＩＤと，そのＳＳＩＤで設定された規格と，そのセキュリティ方式／暗号化方式と，チャネル情報なども選択されたと認識する。
【００３８】
そして，もしセキュリティ方式が選択されている場合は（Ｓ１６のＹＥＳ），無線ＬＡＮ設定プログラムを実行するＣＰＵは，選択されたＳＳＩＤのセキュリティ方式に対応して，パスフレーズまたはＷＥＰキー（暗号キー）の入力画面をタッチパネルディスプレイＤＩＳに表示し，その入力をユーザーに促す（Ｓ１８）。そこで，ユーザーは，入力画面に対してパスフレーズまたはＷＥＰキーを入力操作する（Ｓ２０）。
【００３９】
一方，セキュリティ方式や暗号化方式を使用しないＳＳＩＤが選択されている場合は，ＣＰＵは，上記の工程Ｓ１８，Ｓ２０は行わない（Ｓ１６のＮＯ）。
【００４０】
このＳ１４，Ｓ２０の入力操作に応答して，ＣＰＵは，タッチパネルディスプレイＤＩＳに，選択されたＳＳＩＤと，それに対応するセキュリティ方式／暗号化方式の名前（WEP，WPA/TKIP，WPA/AES，WPA2/TKIP，WPA2/AESのいずれか）と，パスフレーズまたはＷＥ
Ｐキーとを表示して，確認要求を求める（Ｓ２２）。このとき，使用する規格の設定はデフォルトでIEEE802.11b/g/nになっている。ただし，この規格名についてのタッチパネル
ディスプレイＤＩＳへの表示は行われなくてもよい。
【００４１】
ユーザーが上記の選択パラメータについて確認の入力操作をする（Ｓ２４）と，無線ＬＡＮ設定プログラムを実行するＣＰＵは，暗号化方式がTKIPか否かをチェックし，TKIPが選択されている場合は（Ｓ２６のＹＥＳ），使用する規格の設定をIEEE802.11b/gに変更
する。つまり，デフォルトの規格からダウングレードする。逆に，暗号化方式にTKIPが選択されていなければ，デフォルト設定のIEEE802.11b/g/nのままである。
【００４２】
そして，ＣＰＵは，ユーザーにより確認された通信パラメータと，TKIPか否かにより強制的に選択したIEEE802.11b/g/n またはIEEE802.11b/gを使用するというパラメータとを
，無線ＬＡＮチップに設定する（Ｓ３０）。
【００４３】
もし，図４（Ｂ）（Ｃ）に示したように，選択したＳＳＩＤのアクセスポイントがIEEE802.11b/g/nで暗号化方式TKIPを使用する設定になっていた場合，上記の無線ＬＡＮ設定
プログラムにより，プリンタ端末の無線ＬＡＮチップにはIEEE802.11b/gで暗号化方式TKIPを使用する設定が行われる。つまり，図４（Ｃ）のプリンタ端末のように設定される。
しかも，この使用する規格の設定をIEEE802.11b/gに変更することは，ユーザーへの確認
を求めることなく，自動的に行うことで，ユーザーへの余分な負担をかけないようにしている。
【００４４】
通信パラメータが設定されると，無線ＬＡＮチップは，設定された通信パラメータでアクセスポイントに接続要求を行う（Ｓ３２）。そして，アクセスポイントは接続要求に示された通信パラメータを確認して，接続応答で接続成功または失敗を通知する。通信接続可能の場合は，接続成功を示す接続応答をプリンタ端末の無線ＬＡＮチップに返信し，これに応答して，ＣＰＵは，タッチパネルディスプレイＤＩＳに無線ＬＡＮ接続に成功して設定が完了したことを表示する（Ｓ３４）。
【００４５】
選択したＳＳＩＤのアクセスポイントがIEEE802.11b/g/nで暗号化方式TKIPを使用する
設定になっていた場合，前述のとおり，プリンタ端末の無線ＬＡＮチップにはIEEE802.11b/gで暗号化方式TKIPを使用する設定が行われている。その結果，プリンタ端末からの接
続要求に対して，アクセスポイントはIEEE802.11b/gで暗号化方式TKIPを使用する通信が
可能であることを確認して，接続成功の接続応答を返信することになる。そして，ユーザーはこれらの規格の変更の判断と入力操作は求められないので，ユーザーへの負担をかけることなく，規格間の違いにより接続できなくなることを回避することができる。
【００４６】
選択したＳＳＩＤのアクセスポイントがIEEE802.11nだけを使用し，IEEE802.11b/gの使用を禁止する設定になっている場合は，プリンタ端末側でIEEE802.11b/gで暗号化方式TKIPを使用する設定にしたとしても，通信接続することができない。したがって，工程Ｓ２
６において，ＣＰＵが，選択されたＳＳＩＤのアクセスポイントで設定されている規格がIEEE802.11nだけの使用か，IEEE802.11b/g/nの使用かを確認し，IEEE802.11b/g/nの使用
で且つ暗号化方式がTKIPである場合のみ，IEEE802.11b/gで暗号化方式TKIPを使用する設
定に変更するようにしてもよい。
【００４７】
以上の通り，本実施の形態によれば，ドラフト版のIEEE802.11nに準拠したアクセスポ
イントに暗号化方式としてTKIPが設定されている場合に，その無線ＬＡＮグループに正式版のIEEE802.11nに準拠した無線ＬＡＮ端末を加えるときに，通信パラメータ設定プログ
ラムにより，ユーザーによる入力操作を要求することなく強制的にIEEE802.11b/gで通信
する設定に変更される。その結果，新たに加えようとする無線ＬＡＮ端末は，古い規格のIEEE802.11b/gでTKIPの暗号化方式を使用してアクセスポイントと通信することができる
。しかも，アクセスポイントの通信パラメータの変更を必要としないので，既存の無線ＬＡＮグループの通信も維持される。
【００４８】
上述した本の実施形態では，無線通信装置を有するプリンタを例に説明しているが，無線通信装置又は無線通信機能を有する電子機器であれば適用することが可能である。例えば，コンピューターや，プロジェクター，スキャナー，デジタルカメラ等のコンピューターの周辺装置や，製造装置や、電化製品等に適用することも可能である。すなわち，上述した本発明の実施形態は，本発明の説明のための例示であり，本発明の範囲をそれらの実施形態にのみ限定する趣旨ではない。当業者は、本発明の要旨を逸脱することなしに，他の様々な態様で本発明を実施することができる。
【符号の説明】
【００４９】
１０：画像形成装置                    １２：無線ＬＡＮチップ（無線通信ユニット）
１４：ＣＰＵ                          １５：無線ＬＡＮ設定プログラム（ＲＯＭ）
２０：アクセスポイント
【図１】
2012090086.tif 000003
【図２】
2012090086.tif 000004
【図３】
2012090086.tif 000005
【図４】
2012090086.tif 000006
【図５】
2012090086.tif 000007